(57)【要約】【課題】画像表示装置において、簡単な構成によって、外光が反射板で反射することによる画像の表示輝度への影響を抑える。【解決手段】画像表示装置は、外光強度センサ６と、ガンマ電圧供給部２２と、マイクロコンピュータ２４等を備える。ガンマ電圧供給部２２は、複数のガンマ生成回路３１、３２、３３と、複数の入力スイッチ４１、４２、４３と、複数の出力スイッチ５１、５２、５３とを備える。ガンマ生成回路３１〜３３は、互いに異なるガンマ電圧を生成する。マイクロコンピュータ２４は、外光強度センサ６の測定値に基いて、入力スイッチ４１〜４３、及び出力スイッチ５１〜５３のオン、オフを制御することにより、ガンマ生成回路３１〜３３のいずれかを選択して、その選択したガンマ生成回路により生成されるガンマ電圧を液晶駆動部に供給する。液晶駆動部において、このガンマ電圧で液晶セルの液晶画素が駆動される。【選択図】図３
2012226168.tif 000002
【特許請求の範囲】
【請求項１】
液晶画素が多数配列されて構成された液晶セルと、光を放射する光源と、前記光源から放射された光を反射する反射板と、前記液晶セルの液晶画素を駆動する液晶駆動部とを備え、
前記光源から放射された光及び前記反射板で反射された光を前記液晶セルの液晶画素に透過させることにより、画像を表示する画像表示装置において、
外光の強さを測定する外光強度センサと、
前記外光強度センサの測定値に基いて、外光が前記反射板で反射することによる画像の表示輝度への影響を除去するように、画像の表示輝度を調整する表示輝度調整手段とを備え、
前記表示輝度調整手段は、前記液晶駆動部が前記液晶セルの液晶画素を駆動するための駆動電圧であるガンマ電圧を調整することにより、外光が前記反射板で反射することによる画像の表示輝度への影響を除去するように、画像の表示輝度を調整する、ことを特徴とする画像表示装置。
【請求項２】
前記表示輝度調整手段は、
互いに異なるガンマ電圧を生成する複数のガンマ生成回路と、
前記外光強度センサの測定値に基いて、前記複数のガンマ生成回路のいずれかを選択して、その選択したガンマ生成回路により生成されるガンマ電圧を前記液晶駆動部に供給するガンマ電圧選択手段とを有する、ことを特徴とする請求項１に記載の画像表示装置。
【請求項３】
前記複数のガンマ生成回路は、各々、画像信号の示す多階調の輝度値に対応して、複数の異なるガンマ電圧を生成する、ことを特徴とする請求項２に記載の画像表示装置。
【請求項４】
前記表示輝度調整手段は、前記液晶駆動部が前記液晶セルの液晶画素を駆動するための駆動電圧であるガンマ電圧を調整することに加え、前記光源が放射する光の強度を調整することにより、外光が前記反射板で反射することによる画像の表示輝度への影響を除去するように、画像の表示輝度を調整する、ことを特徴とする請求項１乃至請求項３のいずれか一項に記載の画像表示装置。
【発明の詳細な説明】
【技術分野】
【０００１】
本発明は、画像を表示する画像表示装置に関するものである。
【背景技術】
【０００２】
従来から、画像表示装置としては、図４に示す構成のものが知られている。図４に示す画像表示装置７０は、多数の液晶画素を有する液晶セル７１と、光源７２と、反射板７３と、光学シート類７４とを備えている。光源７２は、液晶セル７１の背後に配置されており、反射板７３は、光源７２の背後に配置されている。光学シート類７４は、液晶セル７１と光源７２との間に配置されている。そして、光源７２から放射された光及び反射板７３で反射された光をバックライト光７５として、そのバックライト光７５を液晶セル７１の液晶画素に透過させることにより、画像を表示するようになっている。
【０００３】
一方、外光の強さに応じて、コントラストを強調するように、画像信号に対して補正処理を行うようにした画像表示装置が知られている（例えば特許文献１参照）。また、外光の強さに応じて、色光に色再現性重視のスペクトル分布を持たせる第１のモードと、輝度重視のスペクトル分布を持たせる第２のモードの設定を行うと共に、設定されたモードに応じた入力画像信号の階調特性の可変設定および画像表示素子の駆動電圧範囲の可変設定のうち少なくとも一方を行うようにした映像信号処理装置が知られている（例えば特許文献２参照）。また、外光の強さに応じて、ガンマ補正特性を改善するように、画像信号に対して補正処理を行うようにした表示制御装置が知られている（例えば特許文献３乃至特許文献５参照）。
【先行技術文献】
【特許文献】
【０００４】
【特許文献１】特開２００９−１７３０６号公報
【特許文献２】特開２００３−１５８７４７号公報
【特許文献３】特開平６−８３２８７号公報
【特許文献４】特開２００６−２２７３３２号公報
【特許文献５】特開２００４−１５１１８７号公報
【発明の概要】
【発明が解決しようとする課題】
【０００５】
ところで、上述した従来の画像表示装置７０においては、例えば携帯型のものなどの場合に、屋外で使用されることがある。画像表示装置７０を屋外使用すると、外光７６が画像表示装置７０内に侵入して反射板７３で反射し、その反射板７３で反射した外光７６が画像の表示輝度に影響を与えてしまう。
【０００６】
例えば、暗い場所で見たときの表示輝度特性を図５の曲線Ａ（暗室）で示すように設計したとする。図５において、横軸は、画像信号の示す輝度値であり、縦軸は、画像信号の示す輝度値に対してディスプレイで表示すべき表示輝度である。しかし、外光７６が強い場所で見たときの表示輝度特性は、図５の曲線Ｂ（外光）で示すように、低階調領域で表示輝度が高くなってしまう。すなわち、低階調領域が白浮きしてしまい、黒いところが、黒く見えない状態になってしまう。
【０００７】
そこで、外光７６が反射板７３で反射することによる表示輝度への影響を抑えることが望まれる。また、この場合、簡単な構成によって、外光７６が反射板７３で反射することによる表示輝度への影響を抑えることが望まれる。例えば、外光７６の強さに応じて画像信号の示す輝度値を補正するのでは、画像信号の複雑な処理が必要であり、複雑な構成になってしまう。
【０００８】
本発明は、上記課題を解決するためになされたものであり、簡単な構成によって、外光が反射板で反射することによる画像の表示輝度への影響を抑えることができる画像表示装置を提供することを目的とする。
【課題を解決するための手段】
【０００９】
上記目的を達成するために請求項１の発明は、液晶画素が多数配列されて構成された液晶セルと、光を放射する光源と、光源から放射された光を反射する反射板と、液晶セルの液晶画素を駆動する液晶駆動部とを備え、光源から放射された光及び反射板で反射された光を液晶セルの液晶画素に透過させることにより、画像を表示する画像表示装置において、外光の強さを測定する外光強度センサと、外光強度センサの測定値に基いて、外光が反射板で反射することによる画像の表示輝度への影響を除去するように、画像の表示輝度を調整する表示輝度調整手段とを備え、表示輝度調整手段は、液晶駆動部が液晶セルの液晶画素を駆動するための駆動電圧であるガンマ電圧を調整することにより、外光が反射板で反射することによる画像の表示輝度への影響を除去するように、画像の表示輝度を調整するものである。
【００１０】
請求項２の発明は、表示輝度調整手段は、互いに異なるガンマ電圧を生成する複数のガンマ生成回路と、外光強度センサの測定値に基いて、複数のガンマ生成回路のいずれかを選択して、その選択したガンマ生成回路により生成されるガンマ電圧を液晶駆動部に供給するガンマ電圧選択手段とを有するものである。
【００１１】
請求項３の発明は、複数のガンマ生成回路は、各々、画像信号の示す多階調の輝度値に対応して、複数の異なるガンマ電圧を生成するものである。
【００１２】
請求項４の発明は、表示輝度調整手段は、液晶駆動部が液晶セルの液晶画素を駆動するための駆動電圧であるガンマ電圧を調整することに加え、光源が放射する光の強度を調整することにより、外光が反射板で反射することによる画像の表示輝度への影響を除去するように、画像の表示輝度を調整するものである。
【発明の効果】
【００１３】
請求項１乃至請求項３の発明によれば、外光が反射板で反射することによる画像の表示輝度への影響を除去するように、画像の表示輝度が調整される。従って、外光が反射板で反射することによる画像の表示輝度への影響を抑えることができる。しかも、液晶画素を駆動するための駆動電圧であるガンマ電圧を調整することにより、画像の表示輝度を調整する構成であるので、簡単な構成によって、外光が反射板で反射することによる画像の表示輝度への影響を抑えることができる。
【００１４】
請求項４の発明によれば、請求項１乃至請求項３の発明と同様に、外光が反射板で反射することによる画像の表示輝度への影響を抑えることができる。しかも、液晶画素を駆動するための駆動電圧であるガンマ電圧を調整することと、光源が放射する光の強度を調整することにより、画像の表示輝度を調整する構成であるので、簡単な構成によって、外光が反射板で反射することによる画像の表示輝度への影響を抑えることができる。
【図面の簡単な説明】
【００１５】
【図１】本発明の一実施形態に係る画像表示装置の概略構成を示す断面図。
【図２】同画像表示装置の電気的ブロック構成図。
【図３】同画像表示装置のガンマ電圧供給部の構成を示す電気的ブロック構成図。
【図４】従来の画像表示装置の構成を示す断面図。
【図５】従来の画像表示装置の表示輝度特性を示す図。
【発明を実施するための形態】
【００１６】
以下、本発明を具体化した実施形態による画像表示装置について図面を参照して説明する。図１は、本実施形態による画像表示装置の構成を示す。画像表示装置１は、液晶セル２と、光源３と、反射板４と、光学シート類５と、外光強度センサ６等を備える。これら液晶セル２、光源３、反射板４、光学シート類５、及び外光強度センサ６は、筐体７内に収納されている。
【００１７】
液晶セル２は、液晶画素が縦横に多数配列されて構成されたものである。液晶セル２の各液晶画素は、電圧が印加されることにより駆動されて、光の透過率が変化する。液晶セル２の各液晶画素は、駆動されていない（電圧が印加されていない）ときには、光を透過しない状態となり、駆動されている（電圧が印加されている）ときには、光を透過する状態となる。また、液晶セル２の各液晶画素は、駆動電圧（印加電圧）の大きさに応じて光透過率が変化し、駆動電圧が小さいほど光透過率が低くなり、駆動電圧が大きいほど光透過率が高くなる。液晶セル２は、筐体７の画像表示開口８に臨むように配置されている。
【００１８】
光源３は、液晶セル２の液晶画素に透過させる光を放射するものであり、液晶セル２の背後（画像表示開口８と反対側の場所）に配置されている。光源３は、例えば、冷陰極管やＬＥＤである。
【００１９】
反射板４は、光源３から放射された光を反射するものであり、光源３の背後（液晶セル２の配置されている側と反対側の場所）に配置されている。すなわち、反射板４は、光源３から液晶セル２の反対側に向かって放射された光を反射して液晶セル２に向かわせるものである。光源３から放射された光及び反射板４で反射された光は、液晶セル２のバックライト光１１となって、液晶セル２の駆動されている液晶画素を透過する。光学シート類５は、液晶セル２と光源３との間に配置されている。
【００２０】
外光強度センサ６は、外光１２の強さを測定するものであり、筐体７の測定開口９に臨むように配置されている。また、外光強度センサ６は、照度センサであり、液晶セル２の液晶画素の配列面の近くであって、画像表示開口８の近くに配置されている。すなわち、外光強度センサ６は、外光１２による液晶セル２の液晶画素の配列面上の照度を、外光１２の強さとして測定する。
【００２１】
このような構成の画像表示装置１は、光源３から放射された光及び反射板４で反射された光をバックライト光１１として、そのバックライト光１１を液晶セル２の液晶画素に透過させることにより、画像を表示するようになっている。すなわち、液晶セル２の液晶画素の配列面が画像表示面となって、液晶セル２の液晶画素の配列面上に画像が表示される。
【００２２】
また、この画像表示装置１は、外光強度センサ６により、外光１２の強さ（外光１２による液晶セル２の液晶画素の配列面上の照度）を測定して、その測定値に基いて、自動的に、外光１２が反射板４で反射することによる画像の表示輝度への影響を抑えるように、画像の表示輝度を調整する機能を備えている。外光１２が反射板４で反射することによる画像の表示輝度への影響とは、外光１２が画像表示装置１内に侵入して（画像表示開口８及び液晶セル２の液晶画素を透過して）反射板４で反射し、その反射板４で反射した外光１２が画像の表示輝度に与える影響であって、画像の表示輝度が高くなってしまう影響である。
【００２３】
図２は、画像表示装置１の電気的ブロック構成を示す。画像表示装置１は、上述の構成に加え、画像処理部２１と、ガンマ電圧供給部２２と、液晶駆動部２３と、画像表示装置１の動作を制御するマイクロコンピュータ２４等を備える。
【００２４】
液晶セル２の各液晶画素は、液晶駆動部２３により電圧が印加されて駆動される。光源３は、マイクロコンピュータ２４による制御のもと、光を放射する。外光強度センサ６は、マイクロコンピュータ２４による制御のもと、外光１２の強さ（外光１２による液晶セル２の液晶画素の配列面上の照度）を測定し、その測定値を出力する。この測定値は、マイクロコンピュータ２４に入力される。
【００２５】
画像処理部２１は、マイクロコンピュータ２４による制御のもと、画像を表示するための画像信号を生成し、その画像信号を液晶駆動部２３に供給する。ここで、画像信号は、液晶セル２の各液晶画素の出力すべき輝度値（各液晶画素の設定すべき光の透過率に対応する値）を示す信号である。液晶セル２の各液晶画素の出力すべき輝度値は、１、２、・・・、Ｎの多階調（本実施形態では、２５６階調（Ｎ＝２５６））である。すなわち、画像処理部２１は、画像信号として、液晶セル２の各液晶画素の出力すべき多階調の輝度値を示す信号を生成し、その信号を液晶駆動部２３に供給する。
【００２６】
ガンマ電圧供給部２２は、マイクロコンピュータ２４による制御のもと、液晶セル２の液晶画素を駆動するための駆動電圧であるガンマ電圧を液晶駆動部２３に供給する。すなわち、ガンマ電圧供給部２２は、ガンマ電圧として、液晶セル２の各液晶画素の出力すべき多階調の輝度値に対応して、すなわち、画像信号の示す多階調の輝度値に対応して、複数の異なるガンマ電圧Ｖ１、Ｖ２、・・・、ＶＮ（Ｖ１＜Ｖ２＜・・・＜ＶＮ）（本実施形態では、２５６階調に対応して、２５６種のガンマ電圧（Ｎ＝２５６））を液晶駆動部２３に供給する。
【００２７】
液晶駆動部２３は、画像処理部２１から供給される画像信号に基いて、液晶セル２の各液晶画素の輝度が画像処理部２１から供給される画像信号の示す輝度値と対応する輝度となるように、液晶セル２の各液晶画素を駆動する。このとき、液晶駆動部２３は、液晶セル２の各液晶画素をガンマ電圧供給部２２から供給されるガンマ電圧Ｖ１、Ｖ２、・・・、ＶＮで駆動する。すなわち、液晶駆動部２３は、液晶セル２の各液晶画素について、画像信号の示す輝度値が１である液晶画素をガンマ電圧Ｖ１で駆動し、画像信号の示す輝度値が２である液晶画素をガンマ電圧Ｖ２で駆動し、・・・、画像信号の示す輝度値がＮである液晶画素をガンマ電圧ＶＮで駆動する。
【００２８】
ガンマ電圧供給部２２及びマイクロコンピュータ２４は、後述するように、外光強度センサ６の測定値に基いて、外光１２が反射板４で反射することによる画像の表示輝度への影響を除去するように、画像の表示輝度を調整する。ガンマ電圧供給部２２及びマイクロコンピュータ２４によって、表示輝度調整手段が構成されている。
【００２９】
図３は、ガンマ電圧供給部２２の電気的ブロック構成を示す。ガンマ電圧供給部２２は、複数のガンマ生成回路３１、３２、３３と、複数の入力スイッチ４１、４２、４３と、複数の出力スイッチ５１、５２、５３とを備える。
【００３０】
ガンマ生成回路３１、３２、３３は、各々、画像信号の示す多階調の輝度値に対応して、複数の異なるガンマ電圧Ｖ１、Ｖ２、・・・、ＶＮを生成する。ガンマ生成回路３１、３２、３３は、各々、例えばラダー回路等により構成されており、電源回路（不図示）から供給されるガンマ生成元電圧から、ガンマ電圧Ｖ１、Ｖ２、・・・、ＶＮを生成する。
【００３１】
ガンマ生成回路３１、３２、３３は、ガンマ電圧Ｖ１、Ｖ２、・・・、ＶＮとして、互いに異なるガンマ電圧を生成する。すなわち、ガンマ生成回路３１は、ガンマ電圧Ｖ１、Ｖ２、・・・、ＶＮとして、Ｖ１［１］、Ｖ２［１］、・・・、ＶＮ［１］を生成し、ガンマ生成回路３２は、ガンマ電圧Ｖ１、Ｖ２、・・・、ＶＮとして、Ｖ１［２］、Ｖ２［２］、・・・、ＶＮ［２］を生成し、ガンマ生成回路３３は、ガンマ電圧Ｖ１、Ｖ２、・・・、ＶＮとして、Ｖ１［３］、Ｖ２［３］、・・・、ＶＮ［３］を生成する。
【００３２】
ここで、ガンマ生成回路３１が生成するガンマ電圧Ｖ１［１］、Ｖ２［１］、・・・、ＶＮ［１］は、外光１２の強さ（外光１２による液晶セル２の液晶画素の配列面上の照度）が通常レベルよりも強いときに、その外光１２が反射板４で反射することによる画像の表示輝度への影響を除去するように、設定された電圧である。また、ガンマ生成回路３２が生成するガンマ電圧Ｖ１［２］、Ｖ２［２］、・・・、ＶＮ［２］は、外光１２の強さが通常レベルのときに、その外光１２が反射板４で反射することによる画像の表示輝度への影響を除去するように、設定された電圧である。また、ガンマ生成回路３３が生成するガンマ電圧Ｖ１［３］、Ｖ２［３］、・・・、ＶＮ［３］は、外光１２の強さが通常レベルよりも弱いときに、その外光１２が反射板４で反射することによる画像の表示輝度への影響を除去するように、設定された電圧である。
【００３３】
これらガンマ生成回路３１、３２、３３が生成するガンマ電圧Ｖ１［ｉ］、Ｖ２［ｉ］、・・・、ＶＮ［ｉ］（ｉ＝１、２、３）の電圧値は、外光１２が反射板４で反射することによる画像の表示輝度への影響が除去されるように、試験によって求められた電圧値である。
【００３４】
入力スイッチ４１、４２、４３、及び出力スイッチ５１、５２、５３は、各々、例えばトランジスタにより構成されており、マイクロコンピュータ２４による制御のもと、オン、オフされる。入力スイッチ４１、４２、４３、及び出力スイッチ５１、５２、５３がオン、オフされることにより、ガンマ生成回路３１、３２、３３によるガンマ電圧Ｖ１、Ｖ２、・・・、ＶＮの生成、及び液晶駆動部２３へのガンマ電圧Ｖ１、Ｖ２、・・・、ＶＮの供給が制御される。
【００３５】
マイクロコンピュータ２４は、外光強度センサ６の測定値に基いて、入力スイッチ４１、４２、４３、及び出力スイッチ５１、５２、５３をオン、オフする。
【００３６】
すなわち、マイクロコンピュータ２４は、外光強度センサ６の測定値が第１の閾値以上のときに、外光１２の強さが通常レベルよりも強いと判断して、入力スイッチ４１及び出力スイッチ５１をオンにすると共に、入力スイッチ４２、４３及び出力スイッチ５２、５３をオフにする。これにより、ガンマ生成回路３１によりガンマ電圧Ｖ１［１］、Ｖ２［１］、・・・、ＶＮ［１］が生成されて、そのガンマ電圧Ｖ１［１］、Ｖ２［１］、・・・、ＶＮ［１］がＶ１、Ｖ２、・・・、ＶＮとして液晶駆動部２３に供給される。
【００３７】
また、マイクロコンピュータ２４は、外光強度センサ６の測定値が第１の閾値未満で第２の閾値（第２の閾値は、第１の閾値よりも小さい）以上のときに、外光１２の強さが通常レベルであると判断して、入力スイッチ４２及び出力スイッチ５２をオンにすると共に、入力スイッチ４１、４３及び出力スイッチ５１、５３をオフにする。これにより、ガンマ生成回路３２によりガンマ電圧Ｖ１［２］、Ｖ２［２］、・・・、ＶＮ［２］が生成されて、そのガンマ電圧Ｖ１［２］、Ｖ２［２］、・・・、ＶＮ［２］がＶ１、Ｖ２、・・・、ＶＮとして液晶駆動部２３に供給される。
【００３８】
また、マイクロコンピュータ２４は、外光強度センサ６の測定値が第２の閾値未満のときに、外光１２の強さが通常レベルよりも弱いと判断して、入力スイッチ４３及び出力スイッチ５３をオンにすると共に、入力スイッチ４１、４２及び出力スイッチ５１、５２をオフにする。これにより、ガンマ生成回路３３によりガンマ電圧Ｖ１［３］、Ｖ２［３］、・・・、ＶＮ［３］が生成されて、そのガンマ電圧Ｖ１［３］、Ｖ２［３］、・・・、ＶＮ［３］がＶ１、Ｖ２、・・・、ＶＮとして液晶駆動部２３に供給される。
【００３９】
つまり、マイクロコンピュータ２４は、外光強度センサ６の測定値に基いて、入力スイッチ４１、４２、４３、及び出力スイッチ５１、５２、５３をオン、オフすることにより、ガンマ生成回路３１、３２、３３のいずれかを選択して、その選択したガンマ生成回路３１、３２、３３により生成されるガンマ電圧Ｖ１、Ｖ２、・・・、ＶＮを液晶駆動部２３に供給する。マイクロコンピュータ２４によって、ガンマ電圧選択手段が構成されている。
【００４０】
このように、ガンマ電圧供給部２２及びマイクロコンピュータ２４の働きにより、外光強度センサ６の測定値に基いて（外光１２の強さに応じて）、ガンマ電圧供給部２２から液晶駆動部２３に供給されるガンマ電圧Ｖ１、Ｖ２、・・・、ＶＮが調整される。そして、ガンマ電圧供給部２２から液晶駆動部２３に供給されるガンマ電圧Ｖ１、Ｖ２、・・・、ＶＮが調整されることにより、液晶駆動部２３において、その調整後のガンマ電圧Ｖ１、Ｖ２、・・・、ＶＮで液晶セル２の液晶画素が駆動されることになり、画像の表示輝度が調整される。
【００４１】
すなわち、ガンマ電圧供給部２２及びマイクロコンピュータ２４は、外光強度センサ６の測定値に基いて、液晶駆動部２３に供給するガンマ電圧Ｖ１、Ｖ２、・・・、ＶＮ（液晶駆動部２３が液晶セル２の液晶画素を駆動するための駆動電圧）を調整することにより、画像の表示輝度を調整する。
【００４２】
このとき、外光強度センサ６の測定値が第１の閾値以上のとき（外光１２の強さが通常レベルよりも強いとき）には、液晶駆動部２３に供給されるガンマ電圧Ｖ１、Ｖ２、・・・、ＶＮは、ガンマ生成回路３１により生成されたガンマ電圧Ｖ１［１］、Ｖ２［１］、・・・、ＶＮ［１］となるように調整される。また、外光強度センサ６の測定値が第１の閾値未満で第２の閾値以上のとき（外光１２の強さが通常レベルのとき）には、液晶駆動部２３に供給されるガンマ電圧Ｖ１、Ｖ２、・・・、ＶＮは、ガンマ生成回路３２によりガンマ電圧Ｖ１［２］、Ｖ２［２］、・・・、ＶＮ［２］となるように調整される。また、外光強度センサ６の測定値が第２の閾値未満のとき（外光１２の強さが通常レベルよりも弱いとき）には、液晶駆動部２３に供給されるガンマ電圧Ｖ１、Ｖ２、・・・、ＶＮは、ガンマ生成回路３３によりガンマ電圧Ｖ１［３］、Ｖ２［３］、・・・、ＶＮ［３］となるように調整される。
【００４３】
すなわち、ガンマ電圧供給部２２及びマイクロコンピュータ２４は、外光強度センサ６の測定値に基いて、液晶駆動部２３に供給するガンマ電圧Ｖ１、Ｖ２、・・・、ＶＮ（液晶駆動部２３が液晶セル２の液晶画素を駆動するための駆動電圧）を調整することにより、外光１２が反射板４で反射することによる画像の表示輝度への影響を除去するように、画像の表示輝度を調整する。
【００４４】
このような構成の画像表示装置１によれば、外光１２が反射板４で反射することによる画像の表示輝度への影響を除去するように、画像の表示輝度が調整される。従って、外光１２が反射板４で反射することによる画像の表示輝度への影響を抑えることができる。しかも、液晶セル２の液晶画素を駆動するための駆動電圧であるガンマ電圧を調整することにより画像の表示輝度を調整する構成であるので、簡単な構成によって、外光１２が反射板４で反射することによる画像の表示輝度への影響を抑えることができる。
【００４５】
なお、本発明は、上記実施形態の構成に限られず、種々の変形が可能である。例えば、ガンマ電圧供給部は、３つのガンマ生成回路を備えた構成に限られず、２つのガンマ生成回路を備えた構成でもよいし、４つ以上のガンマ生成回路を備えた構成でもよい。ガンマ生成回路の個数に応じて、マイクロコンピュータにおける外光の強度を判断する閾値を設定すればよい。また、外光強度センサは、光の受光強度に応じた信号を出力するものであれば、照度センサ以外のセンサであってもよい。
【００４６】
また、ガンマ電圧を調整することに加え、光源が放射する光の強度を調整することにより、外光が反射板で反射することによる画像の表示輝度への影響を除去するように、画像の表示輝度を調整するようにしてもよい。この場合、外光が反射板で反射することによる画像の表示輝度への影響が除去されるような、ガンマ生成回路が生成するガンマ電圧の電圧値と光源が放射する光の強度の組合せを、試験によって求めておけばよい。また、この場合、マイクロコンピュータが外光強度センサの測定値に基いて、光源が放射する光の強度を調整すればよく、ガンマ電圧供給部、光源、及びマイクロコンピュータによって、表示輝度調整手段が構成される。
【符号の説明】
【００４７】
１    画像表示装置
２    液晶セル
３    光源
４    反射板
５    光学シート類
６    外光強度センサ
７    筐体
８    画像表示開口
９    測定開口
１１    バックライト光
１２    外光
２１    画像処理部
２２    ガンマ電圧供給部（表示輝度調整手段）
２３    液晶駆動部
２４    マイクロコンピュータ（表示輝度調整手段、ガンマ電圧選択手段）
３１、３２、３３    ガンマ生成回路
４１、４２、４３    入力スイッチ
５１、５２、５３    出力スイッチ
【図１】
2012226168.tif 000003
【図２】
2012226168.tif 000004
【図３】
2012226168.tif 000005
【図４】
2012226168.tif 000006
【図５】
2012226168.tif 000007